(57)【要約】【課題】  納豆の品質を良好に保持できると共に、手を汚すことなく容易に引き出すことができる納豆被覆シートを提供する。【解決手段】  蓋体４が開閉自在に設けられた収納容器１内に収納される納豆８の上面を被覆するための納豆被覆シート１１であって、納豆被覆シート１１は、納豆８の上面を被覆する被覆シート部１２と、被覆シート部１２の中央線部１２ａに基端部が固着されるシート片１３とから成り、被覆シート部１２が、前記収納容器１内に収納された納豆８上面を被覆した状態で、シート片１３の先端部１３ａが、収納容器１の容器本体２と閉じられた蓋体４との間に形成される隙間又は蓋体４に開穿された長孔を介して外部に延出するように配置し、シート片１３を隙間又は長孔を介して収納容器１外に引き出した時、前記被覆シート部１２が納豆付着面を内側にして折り畳まれて引き出されるように構成されて成る納豆被覆シートを提供する。【選択図】  図２
2007045478.tif 000002
【特許請求の範囲】
【請求項１】
蓋体が開閉自在に設けられた収納容器内に収納される納豆の上面を被覆するための納豆被覆シートであって、該納豆被覆シートは、納豆の上面を被覆する被覆シート部と、該被覆シート部の中央線部に基端部が固着されるシート片とから成り、該被覆シート部が、前記収納容器内に収納された納豆上面を被覆した状態で、該シート片の先端部が、該収納容器の容器本体と閉じられた蓋体との間に形成される隙間又は蓋体に開穿された長孔を介して外部に延出するように配置し、該シート片を該隙間又は長孔を介して該収納容器外に引き出した時、前記被覆シート部が納豆付着面を内側にして折り畳まれて引き出されるように構成されて成ることを特徴とする納豆被覆シート。
【請求項２】
上記シート片又は納豆被覆シートには、紐状体の両端が固着され、或いは、ループ状紐状体の一部が固着され、該納豆被覆シートが上記収納容器内に収納される時、該紐状体は、上記容器本体の上端開口部に形成されたフランジに設けられる該容器本体と上記蓋体との閉じ状態を保持するためのスポット溶接部を巻回するように配置され、上記シート片の先端部を上記収納容器外に引き出した時、該紐状体によって、該スポット溶接部の接合を解放し、該蓋体を開くように構成されていることを特徴とする請求項１記載の納豆被覆シート。
【請求項３】
上方開放の容器本体と、該容器本体と一体に成型され、ヒンジ部を介して開閉自在に結合される蓋体とを備えた納豆収納容器であって、請求項１記載の納豆被覆シートの被覆シート部が、上記収納容器内に収納された納豆上面を被覆し、上記シート片の先端部が、前記容器本体と、閉じた蓋体との間の隙間を介して外部に延出して配置され、該シート片の先端部を把持して該シート片を引き出した時、前記被覆シート部が該隙間を介して納豆付着面を内側にして折り畳まれて引き出されるように構成されて成ることを特徴とする納豆収納容器。
【請求項４】
上方開放の容器本体と、該容器本体と一体に成型され、ヒンジ部を介して開閉自在に結合される蓋体とを備えた納豆収納容器であって、前記蓋体に長孔が開穿され、請求項１記載の納豆被覆シートの被覆シート部が、上記収納容器内に収納された納豆上面を被覆し、上記シート片の先端部が該長孔を介して外部に延出して配置され、該シート片の先端部を把持して該シート片を引き出した時、前記被覆シート部が該長孔を介して納豆付着面を内側にして折り畳まれて引き出されるように構成されて成ることを特徴とする納豆収納容器。
【請求項５】
上方開放の容器本体と、該容器本体と一体に成型され、ヒンジ部を介して開閉自在に結合される蓋体とを備え、該容器本体と、蓋体とが、該ヒンジ部と対向する側辺部に施工されるスポット溶接部によって接合されて閉じられるように構成された納豆収納容器であって、請求項２記載の納豆被覆シートの被覆シート部が、上記収納容器内に収納された納豆上面を被覆し、上記シート片の先端部が、前記容器本体と閉じた蓋体との間の前記スポット溶接部近傍の隙間を介して外部に延出して配置され、且つ、上記紐状体が、該スポット溶接部を巻回しており、該シート片の先端部を把持して該シート片を引き出した時、前記被覆シート部が該隙間を介して納豆付着面を内側にして折り畳まれて引き出されると共に、該紐状体が前記スポット溶接部の接合を解放し、該蓋体を開くように構成されていることを特徴とする納豆収納容器。
【請求項６】
上記容器本体の上端開口部に形成されたフランジの上記スポット溶接部の両側端近傍に切欠き部を形成し、上記紐状体を該切欠き部に係止させることを特徴とする請求項５記載の納豆収納容器。
【請求項７】
上方開放の容器本体と、該容器本体と一体に成型され、ヒンジ部を介して開閉自在に結合される蓋体とを備え、該容器本体と、蓋体とが、該ヒンジ部と対向する側辺部に施工されるスポット溶接部によって接合されて閉じられるように構成された納豆収納容器であって、請求項２記載の納豆被覆シートの被覆シート部が、上記収納容器内に収納された納豆上面を被覆し、上記シート片の先端部が、前記容器本体と閉じた蓋体との間の前記ヒンジ部と前記スポット溶接部間の隙間を介して外部に延出して配置され、且つ、上記紐状体が、該スポット溶接部を巻回しており、該シート片の先端部を把持して該シート片を引き出した時、前記被覆シート部が該隙間を介して納豆付着面を内側にして折り畳まれて引き出されると共に、該紐状体が前記スポット溶接部の接合を解放し、該蓋体を開くように構成されていることを特徴とする納豆収納容器。
【請求項８】
上記容器本体の上端開口部に形成されたフランジの上記スポット溶接部と上記ヒンジ部間に切欠き部を形成し、上記紐状体を該切欠き部に係止させることを特徴とする請求項７記載の納豆収納容器。
【請求項９】
上方開放の容器本体と、該容器本体と一体に成型され、ヒンジ部を介して開閉自在に結合される蓋体とを備え、該容器本体と、蓋体とが、該ヒンジ部と対向する側辺部に施工されるスポット溶接部によって接合されて閉じられるように構成された納豆収納容器であって、請求項２記載の納豆被覆シートの被覆シート部が、上記収納容器内に収納された納豆上面を被覆し、上記シート片の先端部が、該納豆収納容器の蓋体に形成された長孔を介して外部に延出して配置され、且つ、上記紐状体が、該スポット溶接部を巻回しており、該シート片の先端部を把持して該シート片を引き出した時、前記被覆シート部が該隙間を介して納豆付着面を内側にして折り畳まれて引き出されると共に、該紐状体が前記スポット溶接部の接合を解放し、該蓋体を開くように構成されていることを特徴とする納豆収納容器。
【請求項１０】
上記容器本体の上端開口部に形成されたフランジの上記スポット溶接部の両側端近傍に切欠き部を形成し、上記紐状体を該切欠き部に係止させることを特徴とする請求項９記載の納豆収納容器。
【発明の詳細な説明】
【技術分野】
【０００１】
本発明は、手を汚すことなく容易に引き出すことができる納豆被覆シート及び該納豆被覆シートを用いた納豆収納容器に関する。
【背景技術】
【０００２】
従来、広く普及している市販の納豆収納容器は、上方開放の発泡スチロール製の容器本体と、容器本体と一体に成型され、ヒンジ部を介して開閉自在に結合される蓋体とから成り、容器本体内に納豆が収納されると、納豆は品質保持等のために上面を納豆被覆シートによって被覆され、蓋体が閉じられると、蓋体と容器本体は、ヒンジ部と対向する側辺部が、熱融着等によるスポット溶接によって、例えば、２点接合されて、閉じ状態が保持される。
【０００３】
然しながら、前記納豆収納容器に於いて、納豆被覆シートは、次のような問題点が発生する。
【０００４】
１．納豆被覆シートは極薄のシートであり、専用の把持部分が備わっていないために、剥がしづらく除去しづらい。
【０００５】
２．納豆被覆シートを剥がし除去した後も、納豆被覆シートに納豆や、納豆の粘着物が付着し、納豆や、粘着物が、手や、衣服や周辺環境を汚す虞があった。
【０００６】
それらの問題の解決を図るため、例えば、特許文献１に記載の納豆収納容器は、容器本体上部に中蓋を嵌合させ、且つ、中蓋の頂板前後又は左右方向中間に幅狭の透孔を穿設し、透孔下方の納豆被覆フィルムの中央部分を透孔から引き上げて外方へ突出させて配置し、そのフィルム部分を引き上げることで、中蓋の下方からフィルムを引き出すようにしたものであり、納豆被覆フィルムを指先を汚すことなく、容易に取り除くことができるものである。
【特許文献１】特開２０００−３１３４９１号公報
【発明の開示】
【発明が解決しようとする課題】
【０００７】
然しながら、特許文献１に記載の納豆収納容器は、中蓋の透孔からフィルムの中央部分を突出させて配置するものであり、次のような問題点がある。
【０００８】
納豆収納容器の製作過程に於いて、フィルムの中央部を中蓋の透孔から突出させた後に、フィルムで納豆上面を覆うため、中蓋が邪魔になって、納豆上面を完全に覆う作業が困難であり、且つ、フィルムの中央部と納豆上面との間に隙間が発生し、納豆の品質上の問題が発生する。
【０００９】
又、中蓋の透孔から突出させるフィルムの長さが比較的に短くなるため、引き出し難いという問題がある。
【００１０】
以上の現状に鑑み、本発明は、納豆の品質を良好に保持できると共に、手を汚すことなく容易に引き出すことができる納豆被覆シート及び該納豆被覆シートを用いた納豆収納容器を提供することを目的とする。
【課題を解決するための手段】
【００１１】
上記の課題を解決すべく、本発明は以下の構成を提供する。
請求項１に係る発明は、蓋体が開閉自在に設けられた収納容器内に収納される納豆の上面を被覆するための納豆被覆シートであって、該納豆被覆シートは、納豆の上面を被覆する被覆シート部と、該被覆シート部の中央線部に基端部が固着されるシート片とから成り、該被覆シート部が、前記収納容器内に収納された納豆上面を被覆した状態で、該シート片の先端部が、該収納容器の容器本体と閉じられた蓋体との間に形成される隙間又は蓋体に開穿された長孔を介して外部に延出するように配置し、該シート片を該隙間又は長孔を介して該収納容器外に引き出した時、前記被覆シート部が納豆付着面を内側にして折り畳まれて引き出されるように構成されて成ることを特徴とする納豆被覆シートを提供するものである。
【００１２】
請求項２に係る発明は、上記シート片又は納豆被覆シートには、紐状体の両端が固着され、或いは、ループ状紐状体の一部が固着され、該納豆被覆シートが上記収納容器内に収納される時、該紐状体は、上記容器本体の上端開口部に形成されたフランジに設けられる該容器本体と上記蓋体との閉じ状態を保持するためのスポット溶接部を巻回するように配置され、上記シート片の先端部を上記収納容器外に引き出した時、該紐状体によって、該スポット溶接部の接合を解放し、該蓋体を開くように構成されていることを特徴とする請求項１記載の納豆被覆シートを提供するものである。
【００１３】
請求項３に係る発明は、上方開放の容器本体と、該容器本体と一体に成型され、ヒンジ部を介して開閉自在に結合される蓋体とを備えた納豆収納容器であって、請求項１記載の納豆被覆シートの被覆シート部が、上記収納容器内に収納された納豆上面を被覆し、上記シート片の先端部が、前記容器本体と、閉じた蓋体との間の隙間を介して外部に延出して配置され、該シート片の先端部を把持して該シート片を引き出した時、前記被覆シート部が該隙間を介して納豆付着面を内側にして折り畳まれて引き出されるように構成されて成ることを特徴とする納豆収納容器を提供するものである。
【００１４】
請求項４に係る発明は、上方開放の容器本体と、該容器本体と一体に成型され、ヒンジ部を介して開閉自在に結合される蓋体とを備えた納豆収納容器であって、前記蓋体に長孔が開穿され、請求項１記載の納豆被覆シートの被覆シート部が、上記収納容器内に収納された納豆上面を被覆し、上記シート片の先端部が該長孔を介して外部に延出して配置され、該シート片の先端部を把持して該シート片を引き出した時、前記被覆シート部が該長孔を介して納豆付着面を内側にして折り畳まれて引き出されるように構成されて成ることを特徴とする納豆収納容器を提供するものである。
【００１５】
請求項５に係る発明は、上方開放の容器本体と、該容器本体と一体に成型され、ヒンジ部を介して開閉自在に結合される蓋体とを備え、該容器本体と、蓋体とが、該ヒンジ部と対向する側辺部に施工されるスポット溶接部によって接合されて閉じられるように構成された納豆収納容器であって、請求項２記載の納豆被覆シートの被覆シート部が、上記収納容器内に収納された納豆上面を被覆し、上記シート片の先端部が、前記容器本体と閉じた蓋体との間の前記スポット溶接部近傍の隙間を介して外部に延出して配置され、且つ、上記紐状体が、該スポット溶接部を巻回しており、該シート片の先端部を把持して該シート片を引き出した時、前記被覆シート部が該隙間を介して納豆付着面を内側にして折り畳まれて引き出されると共に、該紐状体が前記スポット溶接部の接合を解放し、該蓋体を開くように構成されていることを特徴とする納豆収納容器を提供するものである。
【００１６】
請求項６に係る発明は、上記容器本体の上端開口部に形成されたフランジの上記スポット溶接部の両側端近傍に切欠き部を形成し、上記紐状体を該切欠き部に係止させることを特徴とする請求項５記載の納豆収納容器を提供するものである。
【００１７】
請求項７に係る発明は、上方開放の容器本体と、該容器本体と一体に成型され、ヒンジ部を介して開閉自在に結合される蓋体とを備え、該容器本体と、蓋体とが、該ヒンジ部と対向する側辺部に施工されるスポット溶接部によって接合されて閉じられるように構成された納豆収納容器であって、請求項２記載の納豆被覆シートの被覆シート部が、上記収納容器内に収納された納豆上面を被覆し、上記シート片の先端部が、前記容器本体と閉じた蓋体との間の前記ヒンジ部と前記スポット溶接部間の隙間を介して外部に延出して配置され、且つ、上記紐状体が、該スポット溶接部を巻回しており、該シート片の先端部を把持して該シート片を引き出した時、前記被覆シート部が該隙間を介して納豆付着面を内側にして折り畳まれて引き出されると共に、該紐状体が前記スポット溶接部の接合を解放し、該蓋体を開くように構成されていることを特徴とする納豆収納容器を提供するものである。
【００１８】
請求項８に係る発明は、上記容器本体の上端開口部に形成されたフランジの上記スポット溶接部と上記ヒンジ部間に切欠き部を形成し、上記紐状体を該切欠き部に係止させることを特徴とする請求項７記載の納豆収納容器を提供するものである。
【００１９】
請求項９に係る発明は、上方開放の容器本体と、該容器本体と一体に成型され、ヒンジ部を介して開閉自在に結合される蓋体とを備え、該容器本体と、蓋体とが、該ヒンジ部と対向する側辺部に施工されるスポット溶接部によって接合されて閉じられるように構成された納豆収納容器であって、請求項２記載の納豆被覆シートの被覆シート部が、上記収納容器内に収納された納豆上面を被覆し、上記シート片の先端部が、該納豆収納容器の蓋体に形成された長孔を介して外部に延出して配置され、且つ、上記紐状体が、該スポット溶接部を巻回しており、該シート片の先端部を把持して該シート片を引き出した時、前記被覆シート部が該隙間を介して納豆付着面を内側にして折り畳まれて引き出されると共に、該紐状体が前記スポット溶接部の接合を解放し、該蓋体を開くように構成されていることを特徴とする納豆収納容器を提供するものである。
【００２０】
請求項１０に係る発明は、上記容器本体の上端開口部に形成されたフランジの上記スポット溶接部の両側端近傍に切欠き部を形成し、上記紐状体を該切欠き部に係止させることを特徴とする請求項９記載の納豆収納容器を提供するものである。
【発明の効果】
【００２１】
本発明の請求項１記載の発明によれば、蓋体が開閉自在に設けられた収納容器内に収納される納豆の上面を被覆するための納豆被覆シートであって、該納豆被覆シートは、納豆の上面を被覆する被覆シート部と、該被覆シート部の中央線部に基端部が固着されるシート片とから成り、該被覆シート部が、前記収納容器内に収納された納豆上面を被覆した状態で、該シート片の先端部が、該収納容器の容器本体と閉じられた蓋体との間に形成される隙間又は蓋体に開穿された長孔を介して外部に延出するように配置し、該シート片を該隙間又は長孔を介して該収納容器外に引き出した時、前記被覆シート部が納豆付着面を内側にして折り畳まれて引き出されるように構成されて成る納豆被覆シートを提供するので、納豆の品質を良好に保持できると共に、手を汚すことなく容易に引き出すことができる納豆被覆シートを提供できる。
【００２２】
請求項２記載の発明によれば、上記シート片又は納豆被覆シートには、紐状体の両端が固着され、或いは、ループ状紐状体の一部が固着され、該納豆被覆シートが上記収納容器内に収納される時、該紐状体は、上記容器本体の上端開口部に形成されたフランジに設けられる該容器本体と上記蓋体との閉じ状態を保持するためのスポット溶接部を巻回するように配置され、上記シート片の先端部を上記収納容器外に引き出した時、該紐状体によって、該スポット溶接部の接合を解放し、該蓋体を開くように構成されているので、請求項１記載の発明の効果に加え、納豆被覆シートの引き出しと同時に、スポット溶接部の接合を解放し、蓋体を開くことができる。
【００２３】
請求項３記載の発明によれば、上方開放の容器本体と、該容器本体と一体に成型され、ヒンジ部を介して開閉自在に結合される蓋体とを備えた納豆収納容器であって、請求項１記載の納豆被覆シートの被覆シート部が、上記収納容器内に収納された納豆上面を被覆し、上記シート片の先端部が、前記容器本体と、閉じた蓋体との間の隙間を介して外部に延出して配置され、該シート片の先端部を把持して該シート片を引き出した時、前記被覆シート部が該隙間を介して納豆付着面を内側にして折り畳まれて引き出されるように構成されて成る納豆収納容器を提供するので、請求項１記載の発明と同様の効果が期待できる。
【００２４】
請求項４記載の発明によれば、上方開放の容器本体と、該容器本体と一体に成型され、ヒンジ部を介して開閉自在に結合される蓋体とを備えた納豆収納容器であって、前記蓋体に長孔が開穿され、請求項１記載の納豆被覆シートの被覆シート部が、上記収納容器内に収納された納豆上面を被覆し、上記シート片の先端部が該長孔を介して外部に延出して配置され、該シート片の先端部を把持して該シート片を引き出した時、前記被覆シート部が該長孔を介して納豆付着面を内側にして折り畳まれて引き出されるように構成されて成る納豆収納容器を提供するので、請求項１記載の発明と同様の効果が期待できる。
【００２５】
請求項５記載の発明によれば、上方開放の容器本体と、該容器本体と一体に成型され、ヒンジ部を介して開閉自在に結合される蓋体とを備え、該容器本体と、蓋体とが、該ヒンジ部と対向する側辺部に施工されるスポット溶接部によって接合されて閉じられるように構成された納豆収納容器であって、請求項２記載の納豆被覆シートの被覆シート部が、上記収納容器内に収納された納豆上面を被覆し、上記シート片の先端部が、前記容器本体と閉じた蓋体との間の前記スポット溶接部近傍の隙間を介して外部に延出して配置され、且つ、上記紐状体が、該スポット溶接部を巻回しており、該シート片の先端部を把持して該シート片を引き出した時、前記被覆シート部が該隙間を介して納豆付着面を内側にして折り畳まれて引き出されると共に、該紐状体が前記スポット溶接部の接合を解放し、該蓋体を開くように構成されている納豆収納容器を提供するので、請求項２記載の発明と同様の効果が期待できる。
【００２６】
請求項６記載の発明によれば、上記容器本体の上端開口部に形成されたフランジの上記スポット溶接部の両側端近傍に切欠き部を形成し、上記紐状体を該切欠き部に係止させるので、請求項５記載の発明の効果に加え、紐状体を安定的に保持できる。
【００２７】
請求項７記載の発明によれば、上方開放の容器本体と、該容器本体と一体に成型され、ヒンジ部を介して開閉自在に結合される蓋体とを備え、該容器本体と、蓋体とが、該ヒンジ部と対向する側辺部に施工されるスポット溶接部によって接合されて閉じられるように構成された納豆収納容器であって、請求項２記載の納豆被覆シートの被覆シート部が、上記収納容器内に収納された納豆上面を被覆し、上記シート片の先端部が、前記容器本体と閉じた蓋体との間の前記ヒンジ部と前記スポット溶接部間の隙間を介して外部に延出して配置され、且つ、上記紐状体が、該スポット溶接部を巻回しており、該シート片の先端部を把持して該シート片を引き出した時、前記被覆シート部が該隙間を介して納豆付着面を内側にして折り畳まれて引き出されると共に、該紐状体が前記スポット溶接部の接合を解放し、該蓋体を開くように構成されている納豆収納容器を提供するので、請求項２記載の発明と同様の効果が期待できる。
【００２８】
請求項８記載の発明によれば、上記容器本体の上端開口部に形成されたフランジの上記スポット溶接部と上記ヒンジ部間に切欠き部を形成し、上記紐状体を該切欠き部に係止させるので、請求項７記載の発明の効果に加え、紐状体を安定的に保持できる。
【００２９】
請求項９記載の発明によれば、上方開放の容器本体と、該容器本体と一体に成型され、ヒンジ部を介して開閉自在に結合される蓋体とを備え、該容器本体と、蓋体とが、該ヒンジ部と対向する側辺部に施工されるスポット溶接部によって接合されて閉じられるように構成された納豆収納容器であって、請求項２記載の納豆被覆シートの被覆シート部が、上記収納容器内に収納された納豆上面を被覆し、上記シート片の先端部が、該納豆収納容器の蓋体に形成された長孔を介して外部に延出して配置され、且つ、上記紐状体が、該スポット溶接部を巻回しており、該シート片の先端部を把持して該シート片を引き出した時、前記被覆シート部が該隙間を介して納豆付着面を内側にして折り畳まれて引き出されると共に、該紐状体が前記スポット溶接部の接合を解放し、該蓋体を開くように構成されている納豆収納容器を提供するので、請求項２記載の発明と同様の効果が期待できる。
【００３０】
請求項１０記載の発明によれば、上記容器本体の上端開口部に形成されたフランジの上記スポット溶接部の両側端近傍に切欠き部を形成し、上記紐状体を該切欠き部に係止させるので、請求項９記載の発明の効果に加え、紐状体を安定的に保持できる。
【発明を実施するための最良の形態】
【００３１】
以下、実施例を示した図面を参照しつつ本発明の実施の形態を説明する。
図１（ａ）に於いて、１は、一般に広く用いられている発泡樹脂等から成る平面視四角形の収納容器を示し、収納容器１は、上方開放の容器本体２と、容器本体２と一体に成型され、容器本体２の上部開口部の一側辺に形成されるヒンジ部３を介して開閉自在に結合される蓋体４とを備えている。
【００３２】
そして、前記容器本体２の上端開口部にはフランジ５が形成され、前記蓋体４の外周はフランジ５の外周と略一致するように形成されている。
【００３３】
更に、蓋体４下面には、容器本体２の開口部６に貫入して容器本体２に対して蓋体４の位置決めを行い、蓋体４を安定保持するための四角形状の保持枠７が突設されている。
【００３４】
そして、前記収納容器１内に、所定の加工がなされ、納豆菌が加えられた納豆８が収納される。
【００３５】
同図（ｂ）に於いて、１１は、本発明の軟性樹脂から成る第１実施例の納豆被覆シートであり、納豆被覆シート１１は、納豆８の上面を被覆する被覆シート部１２と、被覆シート部１２の略中心線にあたる中央線部１２ａに基端部が固着されるシート片１３とから成る。シート片１３の先端部１３ａは細幅の把持容易な形状に形成される。
【００３６】
図２は、前記納豆被覆シート１１が収納容器１内に収納された状態を示し、収納容器１内に納豆８が収納されると、納豆被覆シート１１は、中央線部１２ａがヒンジ部３と略平行となるように配置されて、納豆８上面を被覆シート部１２で被覆し、シート片１３の先端部１３ａが前記ヒンジ部３に対向する側辺部１４を通過して外方に延出するように配置され、被覆シート部１２上に、適宜、調味料等が収納されたパック等（図示せず）を載置した後、蓋体４を閉じて、側辺部１４上のシート片１３から離間する近傍位置に熱融着によるスポット溶接を施工して２箇所のスポット溶接部１５，１５を形成し、図３（ａ）に示す如く、蓋体４と容器本体２とを接合すると、本発明の第１実施例の納豆収納容器１６が完成する。この時、シート片１３の先端部１３ａは収納容器１の容器本体１と閉じられた蓋体４との間に形成される隙間を介して収納容器１外に延出している。尚、被覆シート部１２上に、調味料等が収納されたパック等が載置されない場合もある。
【００３７】
而して、本発明の第１実施例の納豆収納容器１６のスポット溶接部１５，１５を離反させた後、蓋体４を開いて、納豆収納容器１６内に収納される調味料等のパック（図示せず）を取り出し、再び、蓋体４を閉じ、閉じ方向に若干の圧力を加えた状態で、シート片１３の外方に延出された先端部１３ａを把持してシート片１３を引き出すと、シート片１３と共に、同図（ｂ）に示す如く、中央線部１２ａで折り畳まれた状態で被覆シート部１２が引き出されてくる。尚、シート片１３は左右に振りながら引き出すと、引き出し易くなる。尚、被覆シート部１２上に、調味料等が収納されたパック等が載置されない場合は、調味料等のパックを取り出す作業は発生せず、又、蓋体４を開かないで、被覆シート部１２を引き出すことも可能である。
【００３８】
この時、被覆シート部１２は、中央線部１２ａで折り畳まれ、納豆８を被覆していた、納豆８の粘着物等で汚染された納豆付着面１７が内側に折り畳まれ、納豆付着面１７が露出することがないので、被覆シート部１２によって、手や、衣類、周辺環境等を汚すことがない。
【００３９】
又、被覆シート部１２を引き出す時に、蓋体４を閉じ方向に若干の圧力をかけるので、被覆シート部１２に納豆８が付着した場合でも、納豆８が絞り出されて、被覆シート部１２から離脱するため、引き出された被覆シート部１２には納豆８が付着することもない。
【００４０】
斯くして、本発明の納豆被覆シート１１は、被覆シート部１２によって納豆８を完全に覆うことができるので、納豆８の品質を良好に保持できると共に、被覆シート部１２の中央線部１２ａにシート片１３の基端部が固着されるので、シート片１３を引き出した時、被覆シート部１２が中央線部１２ａで折曲され、被覆シート部１２の納豆付着面１７が内側に折り畳まれるので、納豆付着面１７が露出することがなく、手や、衣類、周辺環境等を汚すことがなく容易に引き出すことができる。
【００４１】
又、納豆被覆シート１１を用いた納豆収納容器１６も同様に、納豆被覆シート１１の被覆シート部１２によって納豆８を完全に覆うことができるので、納豆８の品質を良好に保持できると共に、シート片１３を設け、シート片１３が外方に延出するように配置され、シート片１３を引き出した時、被覆シート部１２が中央線部１２ａで折曲され、被覆シート部１２の納豆付着面１７が内側に折り畳まれ、納豆付着面１７が露出することがないので、手や、衣類、周辺環境等を汚すことがなく容易に引き出すことができる。特に、身体の不自由な人、手指の動作が不自由な人等も、容易に納豆被覆シート１１を引き出すことができるため、その利便性は極めて高いものである。
【００４２】
図４に於いて、２１は、前記納豆収納容器｛図３（ａ）に於いて１６｝の変形例の納豆収納容器であり、納豆収納容器２１は、前記納豆収納容器｛図３（ａ）に於いて１６｝の収納容器｛図３（ａ）に於いて１｝に代えて、一般に広く用いられている発泡樹脂等から成る平面視四角形の他の収納容器２２を用いるものであり、収納容器２２は、蓋体２３の上部に凹部２４が形成され、凹部２４内に調味料等のパック２５，２５を収納し、凹部２４を透明のシート２６等によって被蔽するように構成されたものである。
【００４３】
そして、納豆収納容器２１に於いても、前記納豆被覆シート１１が用いられるが、納豆被覆シート１１の被覆シート部（図示せず）上に調味料等のパック２５，２５は載置されない構成となる。
【００４４】
従って、納豆収納容器２１も、納豆被覆シート１１によって、前記納豆収納容器｛図３（ａ）に於いて１６｝と同様の効果が期待できるが、納豆収納容器２１は、納豆被覆シート１１上に調味料等のパック２５，２５を載置しないので、蓋体２３を開ける前に納豆被覆シート１１を引き出すことも可能であり、又、前記納豆収納容器｛図３（ａ）に於いて１６｝に於いて発生する可能性のある、例えば、調味料等のパック２５，２５を取り出す前に、前記納豆被覆シート１１を引き出してしまうという失敗がなくなる。前記納豆収納容器｛図３（ａ）に於いて１６｝に於いて、万一、調味料等のパック２５，２５を取り出す前に、前記納豆被覆シート１１を引き出してしまうと、納豆被覆シート１１が円滑に引き出されないという問題が発生し、又、調味料等のパック２５，２５が納豆８に接触して汚れてしまう虞がある。
【００４５】
図５に於いて、３１は、本発明の第２実施例の納豆収納容器であり、納豆収納容器３１は、前記納豆収納容器｛図３（ａ）に於いて１６｝の納豆被覆シート｛図３（ａ）に於いて１１｝と同様の構成に形成された納豆被覆シート３２のシート片３３を、収納容器１のヒンジ部３と、前記側辺部１４とを結ぶ側辺部３４を通過させて外方に延出するように配置するものである。尚、図に於いては、右側の側辺部３４を通過させているが、左側の側辺部３４を通過させて外方に延出するように配置しても良い。従って、納豆被覆シート３２は、納豆被覆シート３２のシート片３３が固着された中央線部３６ａがヒンジ部３と略直交するように配置される。
【００４６】
従って、収納容器１の収納部１ａが平面視正方形である場合は、納豆被覆シート３２は、前記納豆収納容器｛図３（ａ）に於いて１６｝の納豆被覆シート｛図３（ｂ）に於いて１１｝と同形状に形成されても良い。
【００４７】
而して、本発明の第２実施例の納豆収納容器３１のスポット溶接部１５，１５を離反させた後、蓋体４を開いて、納豆収納容器３１内に収納される調味料等のパック（図示せず）を取り出し、再び、蓋体４を閉じ、閉じ方向に若干の圧力を加えた状態で、シート片３３の外方に延出された先端部３３ａを把持してシート片３３を引き出すと、シート片３３が引き出されると共に、中央線部３６ａで折り畳まれた状態で被覆シート部３６が引き出されてくる。
【００４８】
この時、被覆シート部３６は、納豆８を被覆していた納豆付着面（図示せず）が内側に折り畳まれるので、被覆シート部１２によって、手や、衣類、周辺環境等を汚すことがない。
【００４９】
図６に於いて、４１は、本発明の第３実施例の納豆収納容器であり、納豆収納容器４１は、前記納豆収納容器｛図３（ａ）に於いて１６｝の蓋体４の中央部に長孔４２が開穿され、納豆被覆シート｛図３（ａ）に於いて１１｝と同様構成の納豆被覆シート４３の被覆シート部４４が、収納容器１内に収納された納豆（図示せず）上面を被覆し、納豆被覆シート４３のシート片４５の先端部４５ａが長孔４２を介して外部に延出して配置されている。
【００５０】
而して、本発明の第３実施例の納豆収納容器４１に於いて、シート片４５の先端部４５ａを把持してシート片４５を引き出すと、同図（ｃ）に示す如く、被覆シート部４４が長孔４２を介して納豆付着面を内側にして折り畳まれて引き出される。
【００５１】
斯くして、本発明の第３実施例の納豆収納容器４１に於いても第１実施例の収納容器１６と同様の効果が期待できる。
【００５２】
図７に於いて、５１は、本発明の第４実施例の納豆収納容器であり、納豆収納容器５１は、前記納豆収納容器｛図３（ａ）に於いて１６｝の納豆被覆シート１１のシート片１３にループ状紐状体５２の一部が結着、接着、又は、融着等によって固着され、納豆被覆シート１１が納豆収納容器５１内に収納される時、紐状体５２は、容器本体２の上端開口部に形成されたフランジ５に設けられるスポット溶接部１５，１５を巻回するように配置されるものである。尚、紐状体５２はループ状でなくても良く、その場合は、両端がシート片１３の側部に固着される。又、前記納豆収納容器５１に於いては、収納容器１内に調味料等のパック（図示せず）は収納されない。
【００５３】
而して、本発明の第４実施例の納豆収納容器５１の蓋体４を閉じた状態で、即ち、スポット溶接部１５，１５を離反させない状態で、シート片１３の外方に延出された先端部１３ａを把持してシート片１３を引き出すと、被覆シート部１２が中央線部１２ａで折り畳まれた状態で引き出されてくる。
【００５４】
この時、同時に前記紐状体５２がスポット溶接部１５，１５の接合を破断し、蓋体４と容器本体２との接合を解放する。
【００５５】
斯くして、本発明の第４実施例の納豆収納容器５１は、本発明の第１実施例の収納容器１６の効果に加え、納豆被覆シート１１の引き出しと同時に、スポット溶接部１５，１５の接合を破断し、蓋体４を開くことができるという利便性がある。
【００５６】
図８に於いて、６１は、本発明の第５実施例の納豆収納容器であり、納豆収納容器６１は、第２実施例の前記納豆収納容器｛図５（ａ）に於いて３１｝の納豆被覆シート３２の被覆シート部６２の側部にループ状紐状体６３の一部が結着、接着、又は、融着等によって固着され、納豆被覆シート３２が納豆収納容器６１内に収納される時、紐状体６３は、容器本体２の上端開口部に形成されたフランジ５に設けられるスポット溶接部１５，１５を巻回するように配置されるものである。尚、紐状体６３はループ状でなくても良く、ループ状でない場合は、両端が被覆シート部６２の側部に固着される。又、前記納豆収納容器５１に於いては、収納容器１内に調味料等のパック（図示せず）は収納されない。
【００５７】
而して、本発明の第５実施例の納豆収納容器６１のの蓋体４を閉じた状態で、即ち、スポット溶接部１５，１５を離反させない状態で、シート片３３の外方に延出された先端部３３ａを把持してシート片３３を引き出すと、被覆シート部６２が中央線部３６ａで折り畳まれた状態で引き出されてくる。
【００５８】
この時、同時に前記紐状体６３がスポット溶接部１５，１５の接合を破断し、蓋体４と容器本体２との接合を解放する。
【００５９】
斯くして、本発明の第５実施例の納豆収納容器６１は、本発明の第２実施例の収納容器｛図５（ａ）に於いて３１｝の効果に加え、納豆被覆シート３２の引き出しと同時に、スポット溶接部１５，１５の接合を破断し、蓋体４を開くことができるという利便性がある。
【００６０】
図９に於いて、７１は、本発明の第６実施例の納豆収納容器であり、納豆収納容器７１は、第３実施例の前記納豆収納容器｛図６（ａ）に於いて４１｝の納豆被覆シート４３の被覆シート部４４の側部にループ状紐状体７２の一部が結着、接着、又は、融着等によって固着され、納豆被覆シート部４４が納豆収納容器７１内に収納される時、紐状体７２は、容器本体２の上端開口部に形成されたフランジ５に設けられるスポット溶接部１５，１５を巻回するように配置されるものである。尚、紐状体７２はループ状でなくても良く、その場合は、両端が被覆シート部４４の側部に固着される。又、前記納豆収納容器５１に於いては、収納容器１内に調味料等のパック（図示せず）は収納されない。
【００６１】
而して、本発明の第６実施例の納豆収納容器７１の蓋体４を閉じた状態で、即ち、スポット溶接部１５，１５を離反させない状態で、シート片４５の先端部４５ａを把持して、シート片４５を長孔４２を介して引き出すと、同図（ｃ）に示す如く、被覆シート部４４が納豆付着面を内側にして折り畳まれて引き出される。
【００６２】
この時、同時に前記紐状体７２がスポット溶接部１５，１５の接合を破断し、蓋体４と容器本体２との接合を解放する。
【００６３】
斯くして、本発明の第６実施例の納豆収納容器７１は、本発明の第３実施例の収納容器｛図６（ａ）に於いて４１｝の効果に加え、納豆被覆シート４３の引き出しと同時に、紐状体７２によってスポット溶接部１５，１５の接合を解放し、蓋体４を開くことができるという利便性がある。
【００６４】
図１０に於いて、８１は、本発明の第７実施例の納豆収納容器であり、納豆収納容器８１は、第４実施例の前記納豆収納容器｛図７（ａ）に於いて５１｝の容器本体２の上端開口部に形成されたフランジ５のスポット溶接部１５，１５の両側端近傍に外方に向かって開放する切欠き部８２，８２を形成し、紐状体５２を切欠き部８２，８２に係止させるものである。
【００６５】
斯くして、本発明の第７実施例の納豆収納容器８１は、本発明の第４実施例の収納容器｛図７（ａ）に於いて５１｝の効果に加え、切欠き部８２，８２によって、紐状体５２を安定的に保持でき、納豆収納容器７１の取扱時に紐状体５２が取扱の邪魔にならない利点があり、又、不用意に紐状体５２が他の障害物（図示せず）に接触することによって引き出されることがないようにすることができる。
【００６６】
図１１に於いて、８５は、本発明の第８実施例の納豆収納容器であり、納豆収納容器８５は、第５実施例の前記納豆収納容器｛図８（ａ）に於いて６１｝の容器本体２の上端開口部に形成されたフランジ５のスポット溶接部１５，１５とヒンジ部３間にヒンジ部３と平行方向に外方に向かって開口する切欠き部８６を形成し、紐状体６３を切欠き部８６に係止させるものである。
【００６７】
斯くして、本発明の第８実施例の納豆収納容器８５は、本発明の第５実施例の収納容器｛図８（ａ）に於いて６１｝の効果に加え、切欠き部８６によって、紐状体６３を安定的に保持でき、更に、納豆収納容器８５の取扱時に紐状体６３が取扱の邪魔にならない利点があり、又、不用意に紐状体６３が他の障害物（図示せず）に接触することによって引き出されることがないようにすることができる。
【００６８】
図１２に於いて、９１は、本発明の第９実施例の納豆収納容器であり、納豆収納容器９１は、第６実施例の前記納豆収納容器｛図９（ａ）に於いて７１｝の容器本体２の上端開口部に形成されたフランジ５のスポット溶接部１５，１５の両側端近傍に外方に向かって開放する切欠き部９２，９２を形成し、紐状体７２を切欠き部９２，９２に係止させるものである。この場合、同図（ｂ）に示すように、紐状体７２にＵ字状の小さな折曲部９３，９３を作り、折曲部９３，９３を切欠き部９２，９２に夫々係止させ、紐状体７２が納豆被覆シート４３と共に引き出される時、切欠き部９２，９２から抜けやすいように設置する。
【００６９】
斯くして、本発明の第９実施例の納豆収納容器９１は、本発明の第６実施例の収納容器｛図９（ａ）に於いて７１｝の効果に加え、切欠き部９２，９２によって、紐状体７２を安定的に保持でき、更に、収納容器９１の取扱時に紐状体７２が取扱の邪魔にならない利点があり、又、不用意に紐状体７２が他の障害物（図示せず）に接触することによって引き出されることがないようにすることができる。
【００７０】
尚、前記納豆収納容器３１，５１，６１，８１，８５は、収納容器１を用いて説明したが、収納容器１に代えて、収納容器２２を用いることも可能であり、然る時は、前記納豆収納容器２１で、収納容器２２を用いた場合と同様の利点が得られることになる。
【００７１】
又、本発明は、納豆被覆シート及び該納豆被覆シートを用いた納豆収納容器に関するものであり、納豆を対象としているが、納豆に代えて、納豆以外の食品、菓子類等、特に、粘着物、液体、流動体、粉体、粒状体等が付着した食品、菓子類等について適用した場合に於いても同様の効果が期待できる。
【図面の簡単な説明】
【００７２】
【図１】（ａ）収納容器に納豆を収納した状態を示す斜視図である。（ｂ）本発明による納豆被覆シートの斜視図である。
【図２】本発明による第１実施例の納豆収納容器の一部切欠斜視図である。
【図３】（ａ）本発明による第１実施例の納豆収納容器の斜視図である。（ｂ）本発明による納豆被覆シートを引き出した状態を示す斜視図である。
【図４】本発明による第１実施例の変形例である納豆収納容器の一部切欠斜視図である。
【図５】（ａ）本発明による第２実施例の納豆収納容器の斜視図である。（ｂ）前図（ａ）に用いられる納豆被覆シートの斜視図である。
【図６】（ａ）本発明による第３実施例の納豆収納容器の斜視図である。（ｂ）前図（ａ）に用いられる納豆被覆シートの斜視図である。（ｃ）前図（ａ）の納豆収納容器に於いて、納豆被覆シートを引き出す状態を示す斜視図である。
【図７】（ａ）本発明による第４実施例の納豆収納容器の斜視図である。（ｂ）前図（ａ）に用いられる納豆被覆シートの斜視図である。（ｃ）前図（ａ）の納豆収納容器に於いて、紐状体の配置状態を示す斜視図である。
【図８】（ａ）本発明による第５実施例の納豆収納容器の斜視図である。（ｂ）前図（ａ）に用いられる納豆被覆シートの斜視図である。
【図９】（ａ）本発明による第６実施例の納豆収納容器の斜視図である。（ｂ）前図（ａ）に用いられる納豆被覆シートの斜視図である。（ｃ）前図（ａ）の納豆収納容器に於いて、納豆被覆シートを引き出す状態を示す斜視図である。
【図１０】（ａ）本発明による第７実施例の納豆収納容器の斜視図である。（ｂ）前図（ａ）に用いられる納豆被覆シートの斜視図である。（ｃ）前図（ａ）の納豆収納容器に於いて、紐状体の配置状態を示す斜視図である。
【図１１】（ａ）本発明による第８実施例の納豆収納容器の斜視図である。（ｂ）前図（ａ）に用いられる納豆被覆シートの斜視図である。
【図１２】（ａ）本発明による第９実施例の納豆収納容器の斜視図である。（ｂ）前図（ａ）に用いられる納豆被覆シートの斜視図である。（ｃ）前図（ａ）の納豆収納容器に於いて、納豆被覆シートを引き出す状態を示す斜視図である。
【符号の説明】
【００７３】
１，２２  収納容器
１ａ  収納部
２  容器本体
３  ヒンジ部
４，２３  蓋体
５  フランジ
８  納豆
１１，３２，４３  納豆被覆シート
１２，３６，４４，６２  被覆シート部
１２ａ，３６ａ  中央線部
１３，３３，４５  シート片
１３ａ，３３ａ，４５ａ  先端部
１４，３４  側辺部
１５スポット溶接部
１６，２１，３１，４１，５１  納豆収納容器
１７  納豆付着面
４２  長孔
５２  紐状体
６１，７１，８１，８５，９１  納豆収納容器
６３，７２  紐状体
８２，８６，９２  切欠き部
【図１】
2007045478.tif 000003
【図２】
2007045478.tif 000004
【図３】
2007045478.tif 000005
【図４】
2007045478.tif 000006
【図５】
2007045478.tif 000007
【図６】
2007045478.tif 000008
【図７】
2007045478.tif 000009
【図８】
2007045478.tif 000010
【図９】
2007045478.tif 000011
【図１０】
2007045478.tif 000012
【図１１】
2007045478.tif 000013
【図１２】
2007045478.tif 000014
【手続補正書】
【提出日】平成18年7月31日(2006.7.31)
【手続補正１】
【補正対象書類名】特許請求の範囲
【補正対象項目名】全文
【補正方法】変更
【補正の内容】
【特許請求の範囲】
【請求項１】
蓋体が開閉自在に設けられた収納容器内に収納される納豆の上面を被覆するための納豆被覆シートであって、該納豆被覆シートは、納豆の上面を被覆する被覆シート部と、該被覆シート部の中央線部の略全長に及んで基端部が固着され、先端部が先端中央部に向かって漸次細幅になるように形成されるシート片とから成り、該被覆シート部が、前記収納容器内に収納された納豆上面を完全に被覆した状態で、該シート片の先端部が、該収納容器の容器本体と閉じられた蓋体との間に形成される隙間又は蓋体に開穿された長孔を介して外部に延出するように配置し、該シート片を該隙間又は長孔を介して該収納容器外に引き出した時、前記被覆シート部が納豆付着面を内側にして前記中央線部で折り畳まれ裾合わせされて、納豆付着面が露出することなく引き出されるように構成されて成ることを特徴とする納豆被覆シート。
【請求項２】
上記シート片又は納豆被覆シートには、紐状体の両端が固着され、或いは、ループ状紐状体の一部が固着され、該納豆被覆シートが上記収納容器内に収納される時、該紐状体は、上記容器本体の上端開口部に形成されたフランジに設けられる該容器本体と上記蓋体との閉じ状態を保持するためのスポット溶接部を巻回するように配置され、上記シート片の先端部を上記収納容器外に引き出した時、該紐状体によって、該スポット溶接部の接合を解放し、該蓋体を開くように構成されていることを特徴とする請求項１記載の納豆被覆シート。
【請求項３】
上方開放の容器本体と、該容器本体と一体に成型され、ヒンジ部を介して開閉自在に結合される蓋体とを備えた納豆収納容器であって、請求項１記載の納豆被覆シートの被覆シート部が、上記収納容器内に収納された納豆上面を被覆し、上記シート片の先端部が、前記容器本体と、閉じた蓋体との間の隙間を介して外部に延出して配置され、該シート片の先端部を把持して該シート片を引き出した時、前記被覆シート部が該隙間を介して納豆付着面を内側にして折り畳まれて引き出されるように構成されて成ることを特徴とする納豆収納容器。
【請求項４】
上方開放の容器本体と、該容器本体と一体に成型され、ヒンジ部を介して開閉自在に結合される蓋体とを備えた納豆収納容器であって、前記蓋体に長孔が開穿され、請求項１記載の納豆被覆シートの被覆シート部が、上記収納容器内に収納された納豆上面を完全に被覆し、上記シート片の先端部が該長孔を介して外部に延出して配置され、該シート片の先端部を把持して該シート片を引き出した時、前記被覆シート部が該長孔を介して納豆付着面を内側にして上記中央線部で折り畳まれ裾合わせされて、納豆付着面が露出することなく引き出されるように構成されて成ることを特徴とする納豆収納容器。
【請求項５】
上方開放の容器本体と、該容器本体と一体に成型され、ヒンジ部を介して開閉自在に結合される蓋体とを備え、該容器本体と、蓋体とが、該ヒンジ部と対向する側辺部に施工されるスポット溶接部によって接合されて閉じられるように構成された納豆収納容器であって、請求項２記載の納豆被覆シートの被覆シート部が、上記収納容器内に収納された納豆上面を被覆し、上記シート片の先端部が、前記容器本体と閉じた蓋体との間の前記スポット溶接部近傍の隙間を介して外部に延出して配置され、且つ、上記紐状体が、該スポット溶接部を巻回しており、該シート片の先端部を把持して該シート片を引き出した時、前記被覆シート部が該隙間を介して納豆付着面を内側にして折り畳まれて引き出されると共に、該紐状体が前記スポット溶接部の接合を解放し、該蓋体を開くように構成されていることを特徴とする納豆収納容器。
【請求項６】
上記容器本体の上端開口部に形成されたフランジの上記スポット溶接部の両側端近傍に切欠き部を形成し、上記紐状体を該切欠き部に係止させることを特徴とする請求項５記載の納豆収納容器。
【請求項７】
上方開放の容器本体と、該容器本体と一体に成型され、ヒンジ部を介して開閉自在に結合される蓋体とを備え、該容器本体と、蓋体とが、該ヒンジ部と対向する側辺部に施工されるスポット溶接部によって接合されて閉じられるように構成された納豆収納容器であって、請求項２記載の納豆被覆シートの被覆シート部が、上記収納容器内に収納された納豆上面を被覆し、上記シート片の先端部が、前記容器本体と閉じた蓋体との間の前記ヒンジ部と前記スポット溶接部間の隙間を介して外部に延出して配置され、且つ、上記紐状体が、該スポット溶接部を巻回しており、該シート片の先端部を把持して該シート片を引き出した時、前記被覆シート部が該隙間を介して納豆付着面を内側にして折り畳まれて引き出されると共に、該紐状体が前記スポット溶接部の接合を解放し、該蓋体を開くように構成されていることを特徴とする納豆収納容器。
【請求項８】
上記容器本体の上端開口部に形成されたフランジの上記スポット溶接部と上記ヒンジ部間に切欠き部を形成し、上記紐状体を該切欠き部に係止させることを特徴とする請求項７記載の納豆収納容器。
【請求項９】
上方開放の容器本体と、該容器本体と一体に成型され、ヒンジ部を介して開閉自在に結合される蓋体とを備え、該容器本体と、蓋体とが、該ヒンジ部と対向する側辺部に施工されるスポット溶接部によって接合されて閉じられるように構成された納豆収納容器であって、請求項２記載の納豆被覆シートの被覆シート部が、上記収納容器内に収納された納豆上面を被覆し、上記シート片の先端部が、該納豆収納容器の蓋体に形成された長孔を介して外部に延出して配置され、且つ、上記紐状体が、該スポット溶接部を巻回しており、該シート片の先端部を把持して該シート片を引き出した時、前記被覆シート部が該隙間を介して納豆付着面を内側にして折り畳まれて引き出されると共に、該紐状体が前記スポット溶接部の接合を解放し、該蓋体を開くように構成されていることを特徴とする納豆収納容器。
【請求項１０】
上記容器本体の上端開口部に形成されたフランジの上記スポット溶接部の両側端近傍に切欠き部を形成し、上記紐状体を該切欠き部に係止させることを特徴とする請求項９記載の納豆収納容器。
【手続補正２】
【補正対象書類名】明細書
【補正対象項目名】００１１
【補正方法】変更
【補正の内容】
【００１１】
上記の課題を解決すべく、本発明は以下の構成を提供する。
請求項１に係る発明は、蓋体が開閉自在に設けられた収納容器内に収納される納豆の上面を被覆するための納豆被覆シートであって、該納豆被覆シートは、納豆の上面を被覆する被覆シート部と、該被覆シート部の中央線部の略全長に及んで基端部が固着され、先端部が先端中央部に向かって漸次細幅になるように形成されるシート片とから成り、該被覆シート部が、前記収納容器内に収納された納豆上面を完全に被覆した状態で、該シート片の先端部が、該収納容器の容器本体と閉じられた蓋体との間に形成される隙間又は蓋体に開穿された長孔を介して外部に延出するように配置し、該シート片を該隙間又は長孔を介して該収納容器外に引き出した時、前記被覆シート部が納豆付着面を内側にして前記中央線部で折り畳まれ裾合わせされて、納豆付着面が露出することなく引き出されるように構成されて成ることを特徴とする納豆被覆シートを提供するも
のである。
【手続補正３】
【補正対象書類名】明細書
【補正対象項目名】００１４
【補正方法】変更
【補正の内容】
【００１４】
請求項４に係る発明は、上方開放の容器本体と、該容器本体と一体に成型され、ヒンジ部を介して開閉自在に結合される蓋体とを備えた納豆収納容器であって、前記蓋体に長孔が開穿され、請求項１記載の納豆被覆シートの被覆シート部が、上記収納容器内に収納された納豆上面を完全に被覆し、上記シート片の先端部が該長孔を介して外部に延出して配置され、該シート片の先端部を把持して該シート片を引き出した時、前記被覆シート部が該長孔を介して納豆付着面を内側にして上記中央線部で折り畳まれ裾合わせされて、納豆付着面が露出することなく引き出されるように構成されて成ることを特徴とする納豆収納容器を提供するものである。
【手続補正４】
【補正対象書類名】明細書
【補正対象項目名】００２１
【補正方法】変更
【補正の内容】
【００２１】
本発明の請求項１記載の発明によれば、蓋体が開閉自在に設けられた収納容器内に収納される納豆の上面を被覆するための納豆被覆シートであって、該納豆被覆シートは、納豆の上面を被覆する被覆シート部と、該被覆シート部の中央線部の略全長に及んで基端部が固着され、先端部が先端中央部に向かって漸次細幅になるように形成されるシート片とから成り、該被覆シート部が、前記収納容器内に収納された納豆上面を完全に被覆した状態で、該シート片の先端部が、該収納容器の容器本体と閉じられた蓋体との間に形成される隙間又は蓋体に開穿された長孔を介して外部に延出するように配置し、該シート片を該隙間又は長孔を介して該収納容器外に引き出した時、前記被覆シート部が納豆付着面を内側にして前記中央線部で折り畳まれ裾合わせされて、納豆付着面が露出することなく引き出されるように構成されて成る納豆被覆シートを提供するので、納豆の品質を良好に保持できると共に、手を汚すことなく容易に引き出すことができる納豆被覆シートを提供できる。
【手続補正５】
【補正対象書類名】明細書
【補正対象項目名】００２４
【補正方法】変更
【補正の内容】
【００２４】
請求項４記載の発明によれば、上方開放の容器本体と、該容器本体と一体に成型され、ヒンジ部を介して開閉自在に結合される蓋体とを備えた納豆収納容器であって、前記蓋体に長孔が開穿され、請求項１記載の納豆被覆シートの被覆シート部が、上記収納容器内に収納された納豆上面を完全に被覆し、上記シート片の先端部が該長孔を介して外部に延出して配置され、該シート片の先端部を把持して該シート片を引き出した時、前記被覆シート部が該長孔を介して納豆付着面を内側にして上記中央線部で折り畳まれ裾合わせされて、納豆付着面が露出することなく引き出されるように構成されて成る納豆収納容器を提供するので、請求項１記載の発明と同様の効果が期待できる。
【手続補正６】
【補正対象書類名】明細書
【補正対象項目名】００３５
【補正方法】変更
【補正の内容】
【００３５】
同図（ｂ）に於いて、１１は、本発明の軟性樹脂から成る第１実施例の納豆被覆シートであり、納豆被覆シート１１は、納豆８の上面を被覆する被覆シート部１２と、被覆シート部１２の略中心線にあたる中央線部１２ａの略全長に及んで基端部が固着されるシート片１３とから成る。シート片１３の先端部１３ａは先端中央部に向かって漸次細幅になるように形成され把持容易な形状に形成される。
【手続補正７】
【補正対象書類名】明細書
【補正対象項目名】００３６
【補正方法】変更
【補正の内容】
【００３６】
図２は、前記納豆被覆シート１１が収納容器１内に収納された状態を示し、収納容器１内に納豆８が収納されると、納豆被覆シート１１は、中央線部１２ａがヒンジ部３と略平行となるように配置されて、納豆８上面を被覆シート部１２で完全に被覆し、シート片１３の先端部１３ａが前記ヒンジ部３に対向する側辺部１４を通過して外方に延出するように配置され、被覆シート部１２上に、適宜、調味料等が収納されたパック等（図示せず）を載置した後、蓋体４を閉じて、側辺部１４上のシート片１３から離間する近傍位置に熱融着によるスポット溶接を施工して２箇所のスポット溶接部１５，１５を形成し、図３（ａ）に示す如く、蓋体４と容器本体２とを接合すると、本発明の第１実施例の納豆収納容器１６が完成する。この時、シート片１３の先端部１３ａは収納容器１の容器本体１と閉じられた蓋体４との間に形成される隙間を介して収納容器１外に延出している。尚、被覆シート部１２上に、調味料等が収納されたパック等が載置されない場合もある。
【手続補正８】
【補正対象書類名】明細書
【補正対象項目名】００３７
【補正方法】変更
【補正の内容】
【００３７】
而して、本発明の第１実施例の納豆収納容器１６のスポット溶接部１５，１５を離反させた後、蓋体４を開いて、納豆収納容器１６内に収納される調味料等のパック（図示せず）を取り出し、再び、蓋体４を閉じ、閉じ方向に若干の圧力を加えた状態で、シート片１３の外方に延出された先端部１３ａを把持してシート片１３を引き出すと、シート片１３と共に、同図（ｂ）に示す如く、中央線部１２ａで折り畳まれた状態で裾合わせされて、納豆付着面が露出することなく被覆シート部１２が引き出されてくる。尚、シート片１３は左右に振りながら引き出すと、引き出し易くなる。尚、被覆シート部１２上に、調味料等が収納されたパック等が載置されない場合は、調味料等のパックを取り出す作業は発生せず、又、蓋体４を開かないで、被覆シート部１２を引き出すことも可能である。
【手続補正９】
【補正対象書類名】明細書
【補正対象項目名】００４７
【補正方法】変更
【補正の内容】
【００４７】
而して、本発明の第２実施例の納豆収納容器３１のスポット溶接部１５，１５を離反させた後、蓋体４を開いて、納豆収納容器３１内に収納される調味料等のパック（図示せず）を取り出し、再び、蓋体４を閉じ、閉じ方向に若干の圧力を加えた状態で、シート片３３の外方に延出された先端部３３ａを把持してシート片３３を引き出すと、シート片３３が引き出されると共に、中央線部３６ａで折り畳まれた状態で裾合わせされて、納豆付着面が露出することなく被覆シート部３６が引き出されてくる。
【手続補正１０】
【補正対象書類名】明細書
【補正対象項目名】００４９
【補正方法】変更
【補正の内容】
【００４９】
図６に於いて、４１は、本発明の第３実施例の納豆収納容器であり、納豆収納容器４１は、前記納豆収納容器｛図３（ａ）に於いて１６｝の蓋体４の中央部に長孔４２が開穿され、納豆被覆シート｛図３（ｂ）に於いて１１｝と同様構成の納豆被覆シート４３の被覆シート部４４が、収納容器１内に収納された納豆（図示せず）上面を完全に被覆し、納豆被覆シート４３のシート片４５の先端部４５ａが長孔４２を介して外部に延出して配置されている。
【手続補正１１】
【補正対象書類名】明細書
【補正対象項目名】００５０
【補正方法】変更
【補正の内容】
【００５０】
而して、本発明の第３実施例の納豆収納容器４１に於いて、シート片４５の先端部４５ａを把持してシート片４５を引き出すと、同図（ｃ）に示す如く、被覆シート部４４が長孔４２を介して納豆付着面を内側にして中央線部で折り畳まれ裾合わせされて、納豆付着面が露出することなく引き出される。